(57)【要約】  システム及び方法は、電子デバイスの物理的屈曲量を判定することと、物理的屈曲量を閾値と比較することとを、提供し得る。さらに、物理的屈曲量が閾値を超過した場合は、警告が生成されることがある。一例では、物理的屈曲量を表す１又は複数の値が、デバイスの不揮発性メモリに記憶され、診断プッシュイベント又は診断プルイベントのうち１又は複数に従って、読み出される。
2018509590.tif 000002
【特許請求の範囲】
【請求項１】
屈曲可能筐体と、
屈曲可能画面と、
前記屈曲可能筐体又は前記屈曲可能画面のうち１又は複数において認識された物理的屈曲量を判定し、
前記物理的屈曲量を閾値と比較し、
前記物理的屈曲量が前記閾値を超過した場合は、警告を生成するための、
少なくとも部分的に固定機能ハードウェアに実装されたロジックと
を備える、
屈曲率を自己監視する電子デバイス。
【請求項２】
不揮発性メモリをさらに備え、
前記ロジックは、
前記物理的屈曲量を表す１又は複数の値を前記不揮発性メモリに記憶し、
診断プッシュイベント又は診断プルイベントのうち１又は複数に従って、前記不揮発性メモリから前記１又は複数の値を読み出すためのものである、
請求項１に記載の電子デバイス。
【請求項３】
不揮発性メモリをさらに備え、
前記ロジックは、
前記物理的屈曲量が前記閾値を超過した場合は、前記電子デバイスの状態データを前記電子デバイスの不揮発性メモリに記憶するためのものである、
請求項１に記載の電子デバイス。
【請求項４】
前記閾値は、
絶対閾値又は変化率の閾値のうち１又は複数である、
請求項１から３のうちのいずれか１項に記載の電子デバイス。
【請求項５】
複数の屈曲検知ゾーンをさらに備え、
前記ロジックは、
前記物理的屈曲量を前記複数の屈曲検知ゾーンのうちの１つと関連付けるためのものである、
請求項１から３のうちのいずれか１項に記載の電子デバイス。
【請求項６】
前記ロジックは、
前記物理的屈曲量を判定するべく、前記電子デバイスにおいて送信された電気信号のパルス長変動、前記電子デバイスの共振周波数、又は前記電子デバイスにおいて送信された光信号の飛行時間（time of flight）のうち１又は複数を測定するためのものである、
請求項１から３のうちのいずれか１項に記載の電子デバイス。
【請求項７】
電子デバイスにおいて認識された物理的屈曲量を判定し、
前記物理的屈曲量を閾値と比較し、
前記物理的屈曲量が前記閾値を超過した場合は、警告を生成するための、
少なくとも部分的に固定機能ハードウェアに実装されたロジックを備える、
屈曲損傷保護装置。
【請求項８】
前記ロジックは、
前記物理的屈曲量を表す１又は複数の値を前記デバイスの不揮発性メモリに記憶し、
診断プッシュイベント又は診断プルイベントのうち１又は複数に従って、前記不揮発性メモリから前記１又は複数の値を読み出すためのものである、
請求項７に記載の装置。
【請求項９】
前記ロジックは、
前記物理的屈曲量が前記閾値を超過した場合は、前記電子デバイスの状態データを前記電子デバイスの不揮発性メモリに記憶するためのものである、
請求項７に記載の装置。
【請求項１０】
前記閾値は、
絶対閾値又は変化率の閾値のうち１又は複数である、
請求項７から９のうちのいずれか１項に記載の装置。
【請求項１１】
前記電子デバイスは、複数の屈曲検知ゾーンを備え、
前記ロジックは、前記物理的屈曲量を前記複数の屈曲検知ゾーンのうちの１つと関連付けるためのものである、
請求項７から９のうちのいずれか１項に記載の装置。
【請求項１２】
前記ロジックは、
前記物理的屈曲量を判定するべく、前記電子デバイスにおいて送信された電気信号のパルス長変動、前記電子デバイスの共振周波数、又は前記電子デバイスにおいて送信された光信号の飛行時間のうち１又は複数を測定するためのものである、
請求項７から９のうちのいずれか１項に記載の装置。
【請求項１３】
前記ロジックは、
前記警告を生成するべく、オーディオ出力、視覚出力、振動性出力、又は遠隔メッセージのうち１又は複数をトリガするためのものである、
請求項７から９のうちのいずれか１項に記載の装置。
【請求項１４】
電子デバイスにおいて認識された物理的屈曲量を判定する段階と、
前記物理的屈曲量を閾値と比較する段階と、
前記物理的屈曲量が前記閾値を超過した場合は、警告を生成する段階と
を備える、
屈曲損傷から保護する方法。
【請求項１５】
前記物理的屈曲量を表す１又は複数の値を前記デバイスの不揮発性メモリに記憶する段階と、
診断プッシュイベント又は診断プルイベントのうち１又は複数に従って、前記不揮発性メモリから前記１又は複数の値を読み出す段階と
をさらに備える、
請求項１４に記載の方法。
【請求項１６】
前記物理的屈曲量が前記閾値を超過した場合は、前記電子デバイスの状態データを前記電子デバイスの不揮発性メモリに記憶する段階
をさらに備える、
請求項１４に記載の方法。
【請求項１７】
前記閾値は、
絶対閾値又は変化率の閾値のうち１又は複数である、
請求項１４から１６のうちのいずれか１項に記載の方法。
【請求項１８】
電子デバイスにより実行されたとき、前記電子デバイスに、
前記電子デバイスにおいて認識された物理的屈曲量を判定させ、
前記物理的屈曲量を閾値と比較させ、
前記物理的屈曲量が前記閾値を超過した場合は、警告を生成させる命令のセットを備える、
少なくとも１つの不揮発性のコンピュータ可読記憶媒体。
【請求項１９】
前記命令は、実行されたとき、前記電子デバイスに、
前記物理的屈曲量を表す１又は複数の値を前記デバイスの不揮発性メモリに記憶させ、
診断プッシュイベント又は診断プルイベントのうち１又は複数に従って、前記不揮発性メモリから前記１又は複数の値を読み出させる、
請求項１８に記載の少なくとも１つの不揮発性のコンピュータ可読記憶媒体。
【請求項２０】
前記命令は、実行されたとき、前記電子デバイスに、
前記物理的屈曲量が前記閾値を超過した場合は、前記電子デバイスの状態データを前記電子デバイスの不揮発性メモリに記憶させる、
請求項１８に記載の少なくとも１つの不揮発性のコンピュータ可読記憶媒体。
【請求項２１】
前記閾値は、
絶対閾値又は変化率の閾値のうち１又は複数である、
請求項１８から２０のうちのいずれか１項に記載の少なくとも１つの不揮発性のコンピュータ可読記憶媒体。
【請求項２２】
前記電子デバイスは、複数の屈曲検知ゾーンを備え、
前記命令は、実行されたとき、前記デバイスに、
前記物理的屈曲量を前記複数の屈曲検知ゾーンのうちの１つと関連付けさせる、
請求項１８から２０のうちのいずれか１項に記載の少なくとも１つの不揮発性のコンピュータ可読記憶媒体。
【請求項２３】
前記命令は、実行されたとき、前記電子デバイスに、
前記物理的屈曲量を判定するべく、前記電子デバイスにおいて送信された電気信号のパルス長変動、前記電子デバイスの共振周波数、又は前記電子デバイスにおいて送信された光信号の飛行時間のうち１又は複数を測定させる、
請求項１８から２０のうちのいずれか１項に記載の少なくとも１つの不揮発性のコンピュータ可読記憶媒体。
【請求項２４】
前記命令は、実行されたとき、前記電子デバイスに、
前記警告を生成するべく、オーディオ出力、視覚出力、振動性出力、又は遠隔メッセージのうち１又は複数をトリガさせる、
請求項１８から２０のうちのいずれか１項に記載の少なくとも１つの不揮発性のコンピュータ可読記憶媒体。
【請求項２５】
請求項１４から１６のうちのいずれか１項に記載の方法を実行するための手段を備える、
屈曲損傷保護装置。
【発明の詳細な説明】
【技術分野】
【０００１】
［関連出願の相互参照］
本特許出願は、2014年12月26日に出願された米国の非仮特許出願第14/583,272号の、優先権の利益を主張する。
【０００２】
実施形態は、概して、屈曲可能電子デバイスに関連する。より具体的には、実施形態は、屈曲可能システムにおけるデバイスの屈曲率を判定することに関連する。
【背景技術】
【０００３】
例えばスマートフォン及びタブレットコンピュータのような電子デバイスは、（例を挙げると、意図的に又は非意図的に）物理的にデバイスを屈曲させる態様で、運ばれ及び／又は操作されることがある。屈曲が過剰な場合は、損傷がデバイスに起こることがあるが、損傷の原因は、保証クレーム処理環境のような診断の条件では、判定することが困難であることがある。屈曲を抑制するべく、機械的な止め具及び／又は補強材がデバイスに組み込まれることがあるが、そのような解決策は、全コスト及び／又はデバイスの重量をかなり増加させることがある。
【図面の簡単な説明】
【０００４】
以下の明細書及び添付の請求項を読むことにより、及び以下の図面を参照することにより、実施形態の様々な利点が当業者に明らかになるだろう。
【図１】実施形態に従った、屈曲に関連した警告の例の図である。
【図２】実施形態に従った、電子デバイスにおける物理的屈曲を管理する方法の例のフローチャートである。
【図３Ａ】実施形態に従った、電気測定レイアウトの例の平面図である。
【図３Ｂ】実施形態に従った、光測定レイアウトの例の平面図である。
【図４】実施形態に従った、複数の屈曲検知ゾーンを有する電子デバイスの例の平面図を回転したものである。
【図５】実施形態に従った、電子デバイスの例の図である。
【発明を実施するための形態】
【０００５】
図１を参照すると、デバイス１０が示されていて、デバイス１０は、例えばタブレットコンピュータ、スマートフォン、パーソナルデジタルアシスタント（ＰＤＡ）、モバイルインターネットデバイス（ＭＩＤ）、ウェアラブルコンピュータ、メディアプレイヤー等、又はあらゆる他の屈曲可能デバイスを含むことがある。図示されている時間ｔ０では、デバイス１０は、実質的に平坦（例を挙げると、屈曲していない）な状態であり、時間ｔ１では、デバイス１０は、（例を挙げると、意図的に又は非意図的に、）屈曲されて屈曲状態になることがある。図示される例では、デバイス１０により認識された物理的屈曲量（例を挙げると、屈曲率）が、デバイス１０の画面１４又は他のコンポーネント（例を挙げると、回路基板、プロセッサ、チップセット、コントローラ、メモリデバイス、バッテリ等）を損傷するリスクを生じさせた場合は、警告１２がデバイス１０により自動的に生成される。後でより詳細に説明されるように、警告１２は、デバイス１０のユーザ及び／又は他の人々（例を挙げると、製造者、保証処理者（warranty processor））に、屈曲状態を通知するよう構成された、例えばオーディオ出力（例を挙げると、可聴アラーム）、視覚出力（例を挙げると、画像による通知）、振動性出力（例を挙げると、触覚による通知）、又は遠隔メッセージ（例を挙げると、テキストメッセージ、電子メール）等を含むことがある。したがって、デバイス１０は、屈曲率を自己監視することにより、自身の損傷の確率をかなり減少させることがある。
【０００６】
図２は、電子デバイスにおける物理的屈曲を管理する方法１６を示している。方法１６は、ランダムアクセスメモリ（ＲＡＭ）、リードオンリーメモリ（ＲＯＭ）、プログラマブルＲＯＭ（ＰＲＯＭ）、ファームウェア、フラッシュメモリ等のような機械若しくはコンピュータ可読記憶媒体に、例えばプログラマブル論理アレイ（ＰＬＡｓ）、フィールドプログラマブルゲートアレイ（ＦＰＧＡｓ）、複合プログラマブル論理デバイス（ＣＰＬＤｓ）のような調整可能ロジックに、例えば特定用途向け集積回路（ＡＳＩＣ）、相補型金属酸化膜半導体（ＣＭＯＳ）、若しくはトランジスタ−トランジスタ論理（ＴＴＬ）技術のような回路技術を使用する固定機能ロジックハードウェアに、又はそれらの任意の組み合わせに記憶された論理命令のセットとして、１又は複数のモジュールで実装されることがある。例えば方法１６で示された工程を実行するコンピュータプログラムコードは、ＪＡＶＡ（登録商標）、ＳＭＡＬＬＴＡＬＫ、Ｃ＋＋又は同様のもののようなオブジェクト指向プログラミング言語、及び「C」プログラミング言語又は同様のプログラミング言語のような標準的手続型プログラミング言語を含む、１又は複数のプログラミング言語の任意の組み合わせで、記述されることがある。
【０００７】
図示された処理ブロック１８は、電子デバイスにおいて認識された物理的屈曲量を判定することを提供する。後でより詳細に説明されるように、ブロック１８は、物理的屈曲量を判定するべく、電子デバイスにおいて送信された電気信号のパルス長変動を測定すること、電子デバイスの共振周波数を測定すること、電子デバイスにおいて送信された光信号の飛行時間（time of flight）を測定すること等、又はそれらの任意の組み合わせを含むことがある。ブロック２０は、物理的屈曲量を表す１又は複数の値を、デバイスの不揮発性メモリ（ＮＶＭ）に、任意選択的に記憶することがある。条件に応じて、値はまた、デバイスから送信されることがある。物理的屈曲を記録することは、例えば保証クレーム処理及び／又はデバイスの修理のような以降の診断活動のより効率的な実行を、容易にすることがある。
【０００８】
後でより詳細に説明されるように、ブロック２０はまた、物理的屈曲量を特定の屈曲検知ゾーンと関連付けることを任意選択的に提供することがあり、デバイスは、複数の屈曲検知ゾーンを有することがある。屈曲イベント情報に加えて、ブロック２０は、イベントの時刻及び日付、デバイス情報、イベント発生時のデバイス状態、ジオロケーション測定値、及び／又は例えば加速度、温度、圧力等のような他のセンサー測定値を含むが、限定されない、追加の情報を判定し、記憶することがある。加えて、ローカルに記憶され又はプッシュ／プルイベントにより送信された情報へのアクセスには、権限が必要なことがあり、及び／又は、暗号化及び／又はデジタル署名のような暗号技術により保護されることがある。
【０００９】
ブロック２２は、物理的屈曲量と閾値の比較を提供することがあり、閾値は、例えば絶対閾値（例を挙げると、屈曲角度）、変化率の閾値（例を挙げると、屈曲角度の変化率）等、又はそれらの任意の組み合わせであることがある。さらに、閾値は、例えば２度の第１閾値、１０度の第２閾値等のような一連の閾値（例を挙げると、多段階閾値）であることがある。加えて、閾値又は一連の閾値は、複数の屈曲検知ゾーンが使用される例では、特定の屈曲検知ゾーンに固有であることがある。加えて、屈曲角度又は屈曲角度の変化率が増加していることが判定される場合は、デバイスをさらに保護するべく、屈曲測定のサンプリングレートが、それに応じて増加することがある。
【００１０】
少なくとも１つの閾値が、物理的屈曲量により超過されている（例を挙げると、現在の屈曲角度は３度で、閾値は２度である）か否かに関する判定が、ブロック２４でなされることがある。その場合は、図示されたブロック２６は、例えばオーディオ出力（例を挙げると、可聴アラーム）、視覚出力（例を挙げると、画像による通知）、振動性出力（例を挙げると、触覚による通知）、遠隔メッセージ（例を挙げると、テキストメッセージ、電子メール）等、又はそれらの任意の組み合わせのような警告を生成する。加えて、警告のタイプ及び／又は強度は、多段階閾値ソリューションで達した段階に、依存することがある。例えば比較的初期の段階は、単一の警告のモード及び／又は相対的に弱い強度を含むことがあり、以降の段階は、複数の警告のモード及び／又はより強い強度を含むことがある。さらに、警告のタイプは、複数の屈曲検知ゾーンが使用される例では、特定の屈曲検知ゾーンに固有であることがある。
【００１１】
任意選択的な一例では、図示されたブロック２８は、例えばハードウェア／レジスタ状態データ、ソフトウェア／アプリケーション状態データ、時刻／日付データ、デバイス情報、センサー測定値等のような電子デバイスの状態データを、電子デバイスのＮＶＭに記憶する。条件に応じて、状態データはまた、デバイスから送信され、及び／又は暗号技術により保護されることがある。記憶される状態データの選択は、状態データが記憶されるＮＶＭの選択と同様に、関連する屈曲検知ゾーンに基づくことがある。例えば屈曲イベント以降の状態データのリカバリの確率を増加するべく、超過された閾値を有する屈曲検知ゾーンに物理的に位置付けられたレジスタに記憶されたデータは、屈曲検知ゾーンの外側に物理的に位置付けられたＮＶＭにコピーされることがある。ブロック２８はまた、例えば開いているユーザファイルを閉じることをトリガすること、記憶ファームウェアをセーフモードへ移行することを受入れること等のようなデータリカバリを容易にするための他の活動を、行うことを含むことがある。
【００１２】
例えば診断プッシュイベント（例を挙げると、デバイス状態情報の定期的報告）、診断プルイベント（例を挙げると、デバイス状態情報の遠隔要求）等のような診断イベントが発生したかか否かに関する判定が、任意選択的にブロック３０でなされることがある。その場合は、物理的屈曲値及び／又は状態データは、ブロック３２でＮＶＭから読み出されることがある。物理的屈曲値及び／又は状態データの読み出し後に、図示される方法は終了する。診断イベントが発生していなかったことがブロック３０で判定された場合は、方法１６は、物理的屈曲値又は状態データを読み出すことなく、終了することがある。さらに、少なくとも１つの閾値が、物理的屈曲量により超過されていなかったことがブロック２４で判定された場合は、図示される方法１６は、警告を生成することなく終了する（しかし危機的でない屈曲値は、デバイスのＮＶＭにまだ存在することがある）。
【００１３】
図３Ａを参照すると、電気測定レイアウトが示されており、第１電気伝導体３４が、電子デバイス３８の第１領域を介してルーティングされ（例を挙げると、ループされ）ており（例を挙げると、Ｃ１及びＣ１間の電気経路を提供し）、第２電気伝導体３６が、電子デバイス３８の第２領域を介してルーティングされている（例を挙げると、Ｃ１及びＣ１間の電気経路に対して縦方向に垂直な、Ｃ２及びＣ２間の電気経路を提供する）。電気伝導体３４、３６は、例えば画面、筐体、外装、又は電子デバイス３８の他の適したコンポーネントに組み込まれることがある。工程中に、電気信号が、電気伝導体３４、３６のそれぞれを介して送信／パルスされることがあり、例えば第２領域の電子デバイス３８の物理的屈曲４０（例を挙げると、ねじれ）は、第２電気伝導体３６内での電気信号の飛行時間を長くすることがある（例を挙げると、パルス長を増加させる）。パルス長における変動／変化は、検出され、電子デバイス３８において認識された物理的屈曲量を測定するための温度不変ソリューションを取得するべく、物理的屈曲４０にさらされていない第１電気伝導体３４を介して、送信／パルスされた電気信号の飛行時間と比較されることがある。このようなアプローチは、屈曲測定をサポートするアナログ回路の自己キャリブレーションを、効果的に提供することがある。
【００１４】
別の例では、（例を挙げると、任意のキャパシタンスの）１又は複数の容量性素子４２が、並列又は直列共振回路を作成するような方法で、電気伝導体３４、３６に接続されることがある。さらに、検出回路４４は、容量性素子４２及び／又は電気伝導体３４、３６に電気信号を注入して、電子デバイス３８の共振周波数を測定することがある。測定された共振周波数は、次に、電子デバイス３８において認識された物理的屈曲量を判定するべく、分析されることがある。
【００１５】
検出回路４４はまた、屈曲関連の機械的応力により影響されることがある１又は複数の容量性素子４２のキャパシタンスを測定することがある。さらに、１又は複数の容量性素子４２は、１又は複数の誘導性素子（示されていない）によって、置き換えられ又は補足されることがある。さらに別の例では、共振回路の振幅の測定は、監視されることがあり、容量性／誘導性素子の形状におけるあらゆる変化が、振幅の予測された縮小に、変化をもたらすことがある。
【００１６】
図３Ｂは、光測定レイアウトを示しており、光送信機４６（例を挙げると、発光ダイオード／ＬＥＤｓ）、及び光受信機４８（例を挙げると、光検出器）が、電子デバイス５２に組み込まれた画面５０の周辺に配置されている。画面５０は導波路として機能することがあるので、画面５０が物理的屈曲５４を認識するにつれて、光送信機４６により送信された光信号の飛行時間が変化することがある。光線の拡散のような他の属性と同様に、飛行時間は、屈曲角度と相関関係を有することがある。他の物理的特性及び／又は属性はまた、電子デバイス５２及び／又は電子デバイス３８（図３Ａ）により認識された屈曲量を検出するべく、監視されることがある。
【００１７】
図４を参照すると、複数の屈曲検知ゾーン５８（５８ａ-５８ｃ）を有する電子デバイス５６の例が示されている。既に記載されたように、電子デバイス５６により認識された物理的屈曲量は、ゾーンあたりの基準に基づいて判定されることがある。したがって、それぞれのゾーン５８は、パルス長変動を判定するべく、例えば電気伝導体３４、３６（図３Ａ）のような複数の電気伝導体を含むことがある。加えて、閾値判定はまた、ゾーンあたりの基準に基づいて判定されることがあり、それぞれのゾーン５８は、１又は複数のゾーン固有の屈曲閾値を有することがある。例えば第１ゾーン５８ａは、電子デバイス５６の上部の近くのコンポーネント６０（例を挙げると、カメラ、マイク、周辺光センサー）を主に保護するべく選択された一連の閾値を有することがあり、第２ゾーン５８ｂは、画面６２を主に保護するべく選択された１又は複数の閾値を有することがあり、第３ゾーン５８ｃは、電子デバイス５６の下部の近くのコンポーネントを保護するべく選択された単一の閾値を有することがある、等である。
【００１８】
図５は、コンピューティングデバイス６４を示している。コンピューティングデバイス６４は、コンピューティング機能（例を挙げると、ＰＤＡ、ノートブックコンピュータ、タブレットコンピュータ）、通信機能（例を挙げると、無線スマートフォン）、イメージング機能、メディアプレイ機能（例を挙げると、スマートテレビジョン／ＴＶ）、ウェアラブル機能（例を挙げると、腕時計、アイウェア、ヘッドウェア、フットウェア、宝飾品）、又はそれらの任意の組み合わせ（例を挙げると、ＭＩＤ）を備える、電子デバイス／プラットフォームの一部分であることがある。図示される例では、デバイス６４は、屈曲可能筐体８６と、デバイス６４に電力を供給するバッテリ６６と、システムメモリ７２と通信することがある統合メモリコントローラ（ＩＭＣ）７０を有するプロセッサ６８を備える。デバイス６４は、代わりに、例えば誘導電源、燃料電池又は交流電流（ＡＣ）電源のような別のタイプの電源により、電力を供給されることがある。システムメモリ７２は、例えばデュアルインラインメモリモジュール（ＤＩＭＭｓ）、スモールアウトラインＤＩＭＭｓ（ＳＯＤＩＭＭｓ）等のような１又は複数のメモリモジュールとして構成された、例えばダイナミックランダムアクセスメモリ（ＤＲＡＭ）を含むことがある。
【００１９】
図示されたデバイス６４はまた、システムオンチップ（ＳｏＣ）として、半導体ダイ６５にプロセッサ６８と共に実装された入出力（ＩＯ）モジュール７４を有し、ＩＯモジュール７４は、ホストデバイスとして機能し、例えば屈曲可能画面７６（例を挙げると、タッチスクリーン、液晶画面／ＬＣＤ、発光ダイオード／ＬＥＤ画面）、ネットワークコントローラ７８、大容量記憶装置８０（例を挙げると、ハードディスクドライブ／ＨＤＤ、光ディスク、フラッシュメモリ等）、及び屈曲測定回路８２と通信することがある。屈曲測定回路８２は、既に説明されたように、屈曲率測定を容易にするべく、例えば電気伝導体３４、３６（図３Ａ）のようなループした電気伝導体と、例えば検出回路４４（図３Ａ）のような検出回路と、共振回路と、光送信機と、受信機等とを含むことがある。図示されるプロセッサ６８は、コンピューティングデバイス６４において認識された物理的屈曲量を判定し、物理的屈曲量を閾値と比較し、物理的屈曲量が閾値を超過した場合は、警告を生成するべく、屈曲測定回路８２を使用するロジック８４を実行することがある。警告を生成することは、例えば１又は複数のスピーカー６７からのオーディオ出力、屈曲可能画面７６、及び／又は、１又は複数のＬＥＤｓ６９からの視覚出力、振動デバイス７１からの振動性出力、ネットワークコントローラ７８からの遠隔メッセージ等をトリガすることを含むことがある。従って、ロジック８４は、既に説明されたように方法１６（図２）の１又は複数の態様を実行することがある。
【００２０】
［追加の記載と例］
例１は、屈曲可能筐体と、屈曲可能画面と、屈曲可能筐体又は屈曲可能画面のうち１又は複数において認識された物理的屈曲量を判定し、物理的屈曲量を閾値と比較し、物理的屈曲量が閾値を超過した場合は、警告を生成するための、少なくとも部分的に固定機能ハードウェアに実装されたロジックとを備える、電子デバイスを含むことがある。
【００２１】
例２は、不揮発性メモリをさらに備え、ロジックは、物理的屈曲量を表す１又は複数の値を不揮発性メモリに記憶し、診断プッシュイベント又は診断プルイベントのうち１又は複数に従って、不揮発性メモリから１又は複数の値を読み出すためのものである、例１に記載の電子デバイスを含むことがある。
【００２２】
例３は、不揮発性メモリをさらに備え、ロジックは、物理的屈曲量が閾値を超過した場合は、電子デバイスの状態データを電子デバイスの不揮発性メモリに記憶するためのものである、例１に記載の電子デバイスを含むことがある。
【００２３】
例４は、閾値は、絶対閾値又は変化率の閾値のうち１又は複数である、例１から３のうちのいずれか１つに記載の電子デバイスを含むことがある。
【００２４】
例５は、複数の屈曲検知ゾーンをさらに備え、ロジックは物理的屈曲量を複数の屈曲検知ゾーンのうちの１つと関連付けるためのものである、例１から３のうちのいずれか１つに記載の電子デバイスを含むことがある。
【００２５】
例６は、ロジックは、物理的屈曲量を判定するべく、電子デバイスにおいて送信された電気信号のパルス長変動、電子デバイスの共振周波数、又は電子デバイスにおいて送信された光信号の飛行時間のうち１又は複数を測定するためのものである、例１から３のうちのいずれか１つに記載の電子デバイスを含むことがある。
【００２６】
例７は、電子デバイスにおいて認識された物理的屈曲量を判定し、物理的屈曲量を閾値と比較し、物理的屈曲量が閾値を超過した場合は、警告を生成するための、少なくとも部分的に固定機能ハードウェアに実装されたロジックを備える、物理的屈曲を管理する装置を含むことがある。
【００２７】
例８は、ロジックは、物理的屈曲量を表す１又は複数の値をデバイスの不揮発性メモリに記憶し、診断プッシュイベント又は診断プルイベントのうち１又は複数に従って、不揮発性メモリから１又は複数の値を読み出すためのものである、例７に記載の装置を含むことがある。
【００２８】
例９は、ロジックは物理的屈曲量が閾値を超過した場合は、電子デバイスの状態データを電子デバイスの不揮発性メモリに記憶するためのものである、例７に記載の装置を含むことがある。
【００２９】
例１０は、閾値は絶対閾値又は変化率の閾値のうち１又は複数である、例７から９のうちのいずれか１つに記載の装置を含むことがある。
【００３０】
例１１は、電子デバイスは、複数の屈曲検知ゾーンを備え、ロジックは物理的屈曲量を複数の屈曲検知ゾーンのうちの１つと関連付けるためのものである、例７から９のうちのいずれか１つに記載の装置を含むことがある。
【００３１】
例１２は、ロジックは、物理的屈曲量を判定するべく、電子デバイスにおいて送信された電気信号のパルス長変動、電子デバイスの共振周波数、又は電子デバイスにおいて送信された光信号の飛行時間のうち１又は複数を測定するためのものである、例７から９のうちのいずれか１つに記載の装置を含むことがある。
【００３２】
例１３は、ロジックは、警告を生成するべく、オーディオ出力、視覚出力、振動性出力、又は遠隔メッセージのうち１又は複数をトリガするためのものである、例７から９のうちのいずれか１つに記載の装置を含むことがある。
【００３３】
例１４は、電子デバイスにおいて認識された物理的屈曲量を判定する段階と、物理的屈曲量を閾値と比較する段階と、物理的屈曲量が閾値を超過した場合は、警告を生成する段階とを備える、物理的屈曲を管理する方法を含むことがある。
【００３４】
例１５は、物理的屈曲量を表す１又は複数の値をデバイスの不揮発性メモリに記憶する段階と、診断プッシュイベント又は診断プルイベントのうち１又は複数に従って、不揮発性メモリから１又は複数の値を読み出す段階とをさらに備える、例１４に記載の方法を含むことがある。
【００３５】
例１６は、物理的屈曲量が閾値を超過した場合は、電子デバイスの状態データを電子デバイスの不揮発性メモリに記憶する段階をさらに備える、例１４に記載の方法を含むことがある。
【００３６】
例１７は、閾値は、絶対閾値又は変化率の閾値のうち１又は複数である、例１４から１６のうちのいずれか１つに記載の方法を含むことがある。
【００３７】
例１８は、電子デバイスにより実行されたとき、電子デバイスに、電子デバイスにおいて認識された物理的屈曲量を判定させ、物理的屈曲量を閾値と比較させ、物理的屈曲量が閾値を超過した場合は、警告を生成させる命令のセットを備える、少なくとも１つのコンピュータ可読記憶媒体を含むことがある。
【００３８】
例１９は、命令は、実行されたとき、電子デバイスに、物理的屈曲量を表す１又は複数の値をデバイスの不揮発性メモリに記憶させ、診断プッシュイベント又は診断プルイベントのうち１又は複数に従って、不揮発性メモリから１又は複数の値を読み出させる、例１８に記載の少なくとも１つの不揮発性のコンピュータ可読記憶媒体を含むことがある。
【００３９】
例２０は、命令は、実行されたとき、電子デバイスに、物理的屈曲量が閾値を超過した場合は、電子デバイスの状態データを電子デバイスの不揮発性メモリに記憶させる、例１８に記載の少なくとも１つの不揮発性のコンピュータ可読記憶媒体を含むことがある。
【００４０】
例２１は、閾値は、絶対閾値又は変化率の閾値のうち１又は複数である、例１８から２０のうちのいずれか１つに記載の少なくとも１つの不揮発性のコンピュータ可読記憶媒体を含むことがある。
【００４１】
例２２は、電子デバイスは、複数の屈曲検知ゾーンを備え、命令は、実行されたとき、デバイスに物理的屈曲量を複数の屈曲検知ゾーンのうちの１つと関連付けさせる、例１８から２０のうちのいずれか１つに記載の少なくとも１つの不揮発性のコンピュータ可読記憶媒体を含むことがある。
【００４２】
例２３は、命令は、実行されたとき、電子デバイスに、物理的屈曲量を判定するべく、電子デバイスにおいて送信された電気信号のパルス長変動、電子デバイスの共振周波数、又は電子デバイスにおいて送信された光信号の飛行時間のうち１又は複数を測定させる、例１８から２０のうちのいずれか１つに記載の少なくとも１つの不揮発性のコンピュータ可読記憶媒体を含むことがある。
【００４３】
例２４は、命令は、実行されたとき、電子デバイスに、警告を生成するべく、オーディオ出力、視覚出力、振動性出力、又は遠隔メッセージのうち１又は複数をトリガさせる、例１８から２０のうちのいずれか１つに記載の少なくとも１つの不揮発性のコンピュータ可読記憶媒体を含むことがある。
【００４４】
例２５は、電子デバイスにおいて認識された物理的屈曲量を判定するための手段と、物理的屈曲量を閾値と比較するための手段と、物理的屈曲量が閾値を超過した場合は、警告を生成するための手段とを備える、屈曲損傷保護装置を含むことがある。
【００４５】
例２６は、物理的屈曲量を表す１又は複数の値をデバイスの不揮発性メモリに記憶するための手段と、診断プッシュイベント又は診断プルイベントのうち１又は複数に従って、不揮発性メモリから１又は複数の値を読み出すための手段とをさらに備える、例２５に記載の装置を含むことがある。
【００４６】
例２７は、物理的屈曲量が閾値を超過した場合は、電子デバイスの状態データを電子デバイスの不揮発性メモリに記憶するための手段をさらに備える、例２５に記載の装置を含むことがある。
【００４７】
例２８は、閾値が絶対閾値又は変化率の閾値のうちの１つである、例２５から２７のうちのいずれか１つに記載の装置を含むことがある。
【００４８】
従って、本明細書で説明される技術は、屈曲量が、過剰限界に達した又は近づきつつあるとき、ユーザに自動的に通知することを、スマート屈曲可能システム／デバイスに可能とさせ得る。したがって、ユーザは、例えば後ろのポケットで運ばれている間に、デバイスは損傷されていないだろうというより大きい自信を有することがあり、製造者は、増大する保証クレームを心配することなく、より多様なデザイン選択を提供することができるようになることがある。
【００４９】
実施形態は、全てのタイプの半導体集積回路（ＩＣ）チップでの使用に適用可能である。これらＩＣチップの例は、プロセッサ、コントローラ、チップセットコンポーネント、プログラマブル論理アレイ（ＰＬＡｓ）、メモリチップ、ネットワークチップ、システムオンチップ（ＳｏＣｓ）、ＳＳＤ／ＮＡＮＤコントローラＡＳＩＣｓ、及び同様のものを含むが、限定されない。加えて、図面のいくつかで、信号伝導線は、線で表される。いくつかは、より多くの成分信号パスを示すべく、異なっていたり、成分信号パスのナンバーを示すべく、ナンバーラベルを有したり、及び／又は、主な情報の流れる方向を示すべく、１又は複数の端で矢印を有することがある。しかしながら、このことは、限定する態様で解釈されるべきではない。むしろ、そのような追加された詳細は、回路をより簡単に理解することを容易にするべく、１又は複数の例示的な実施形態に関連して使用されてもよい。あらゆる表された信号線は、追加の情報を有するか否かに関わらず、実際は複数の方向に送信されることがある１又は複数の信号を備えることがあり、あらゆる適したタイプの信号スキーム、例を挙げると差動ペアによって実装されたデジタル又はアナログの線、光ファイバー線及び／又はシングルエンド線によって、実装されることがある。
【００５０】
例示的なサイズ／モデル／値／範囲は、与えられていることがあるが、実施形態は、同様のものに限定されない。製造技術（例を挙げると、フォトリソグラフィ）が徐々に成熟するにつれて、より小さなサイズのデバイスが製造され得ることが、予測される。加えて、説明及び議論を単純にするため、及び実施形態の特定の態様をわかりにくくしないようにするため、ＩＣチップ及び他のコンポーネントへのよく知られた電源／接地接続は、図に示されていることがあり又は示されていないことがある。さらに配置は、実施形態をわかりづらくすることを避けるべく、また、そのようなブロック図の配置の実装に関する詳細は、実施形態が実装されるプラットフォームに高度に依存すること、すなわちそのような詳細は、当業者の理解の範囲内であるべきであるという事実にかんがみて、ブロック図の形で示されることがある。具体的な詳細（例を挙げると、回路）が、実施形態の例を説明するべく、示されている場合は、実施形態は、これら具体的な詳細を変形することなく又は変形をすることで、実施され得ることが、当業者にとって明らかであるべきである。説明は、従って、限定するものではなく、例示的なものとみなされるべきである。
【００５１】
「接続」の用語は、本明細書では、問題となっているコンポーネント間の、直接的な又は間接的なあらゆるタイプの関連について使用されることがあり、電気的、機械的、流体的、光学的、電磁気学的、電気機械的、又は他の接続に、適用することがある。加えて、「第１」、「第２」等の用語は、本明細書では説明を容易にするためだけに使用されることがあり、別に示されない限り、特定の時間的又は順番の意義を、全く持たない。
【００５２】
当業者は、前述の説明から、実施形態の幅広い技術が様々な形態で実装され得ることを、認識するだろう。従って、実施形態が、特定のそれらの例に関連して説明されるが、他の変更形態が、図面、明細書、及び以下の特許請求の範囲を参照することで、当業者に明らかになるだろうから、実施形態の真の範囲は、そのように限定されるべきではない。
【図１】
2018509590.tif 000003
【図２】
2018509590.tif 000004
【図３Ａ】
2018509590.tif 000005
【図３Ｂ】
2018509590.tif 000006
【図４】
2018509590.tif 000007
【図５】
2018509590.tif 000008
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
屈曲可能筐体と、
屈曲可能画面と、
前記屈曲可能筐体又は前記屈曲可能画面のうち１又は複数において認識された物理的屈曲量を判定し、
前記物理的屈曲量を閾値と比較し、
前記物理的屈曲量が前記閾値を超過した場合は、警告を生成するための、
少なくとも部分的に固定機能ハードウェアに実装されたロジックと
を備える、
屈曲率を自己監視する電子デバイス。
【請求項２】
不揮発性メモリをさらに備え、
前記ロジックは、
前記物理的屈曲量を表す１又は複数の値を前記不揮発性メモリに記憶し、
診断プッシュイベント又は診断プルイベントのうち１又は複数に従って、前記不揮発性メモリから前記１又は複数の値を読み出すためのものである、
請求項１に記載の電子デバイス。
【請求項３】
不揮発性メモリをさらに備え、
前記ロジックは、
前記物理的屈曲量が前記閾値を超過した場合は、前記電子デバイスの状態データを前記電子デバイスの不揮発性メモリに記憶するためのものである、
請求項１に記載の電子デバイス。
【請求項４】
前記閾値は、
絶対閾値又は変化率の閾値のうち１又は複数である、
請求項１から３のうちのいずれか１項に記載の電子デバイス。
【請求項５】
複数の屈曲検知ゾーンをさらに備え、
前記ロジックは、
前記物理的屈曲量を前記複数の屈曲検知ゾーンのうちの１つと関連付けるためのものである、
請求項１から３のうちのいずれか１項に記載の電子デバイス。
【請求項６】
前記ロジックは、
前記物理的屈曲量を判定するべく、前記電子デバイスにおいて送信された電気信号のパルス長変動、前記電子デバイスの共振周波数、又は前記電子デバイスにおいて送信された光信号の飛行時間（time of flight）のうち１又は複数を測定するためのものである、
請求項１から３のうちのいずれか１項に記載の電子デバイス。
【請求項７】
電子デバイスにおいて認識された物理的屈曲量を判定し、
前記物理的屈曲量を閾値と比較し、
前記物理的屈曲量が前記閾値を超過した場合は、警告を生成するための、
少なくとも部分的に固定機能ハードウェアに実装されたロジックを備える、
屈曲損傷保護装置。
【請求項８】
前記ロジックは、
前記物理的屈曲量を表す１又は複数の値を前記電子デバイスの不揮発性メモリに記憶し、
診断プッシュイベント又は診断プルイベントのうち１又は複数に従って、前記不揮発性メモリから前記１又は複数の値を読み出すためのものである、
請求項７に記載の装置。
【請求項９】
前記ロジックは、
前記物理的屈曲量が前記閾値を超過した場合は、前記電子デバイスの状態データを前記電子デバイスの不揮発性メモリに記憶するためのものである、
請求項７に記載の装置。
【請求項１０】
前記閾値は、
絶対閾値又は変化率の閾値のうち１又は複数である、
請求項７から９のうちのいずれか１項に記載の装置。
【請求項１１】
前記電子デバイスは、複数の屈曲検知ゾーンを備え、
前記ロジックは、前記物理的屈曲量を前記複数の屈曲検知ゾーンのうちの１つと関連付けるためのものである、
請求項７から９のうちのいずれか１項に記載の装置。
【請求項１２】
前記ロジックは、
前記物理的屈曲量を判定するべく、前記電子デバイスにおいて送信された電気信号のパルス長変動、前記電子デバイスの共振周波数、又は前記電子デバイスにおいて送信された光信号の飛行時間のうち１又は複数を測定するためのものである、
請求項７から９のうちのいずれか１項に記載の装置。
【請求項１３】
前記ロジックは、
前記警告を生成するべく、オーディオ出力、視覚出力、振動性出力、又は遠隔メッセージのうち１又は複数をトリガするためのものである、
請求項７から９のうちのいずれか１項に記載の装置。
【請求項１４】
電子デバイスにおいて認識された物理的屈曲量を判定する段階と、
前記物理的屈曲量を閾値と比較する段階と、
前記物理的屈曲量が前記閾値を超過した場合は、警告を生成する段階と
を備える、
屈曲損傷から保護する方法。
【請求項１５】
前記物理的屈曲量を表す１又は複数の値を前記電子デバイスの不揮発性メモリに記憶する段階と、
診断プッシュイベント又は診断プルイベントのうち１又は複数に従って、前記不揮発性メモリから前記１又は複数の値を読み出す段階と
をさらに備える、
請求項１４に記載の方法。
【請求項１６】
前記物理的屈曲量が前記閾値を超過した場合は、前記電子デバイスの状態データを前記電子デバイスの不揮発性メモリに記憶する段階
をさらに備える、
請求項１４に記載の方法。
【請求項１７】
前記閾値は、
絶対閾値又は変化率の閾値のうち１又は複数である、
請求項１４から１６のうちのいずれか１項に記載の方法。
【請求項１８】
電子デバイスにより実行されたとき、前記電子デバイスに、
前記電子デバイスにおいて認識された物理的屈曲量を判定させ、
前記物理的屈曲量を閾値と比較させ、
前記物理的屈曲量が前記閾値を超過した場合は、警告を生成させる、
コンピュータプログラム。
【請求項１９】
前記コンピュータプログラムは、実行されたとき、前記電子デバイスに、
前記物理的屈曲量を表す１又は複数の値を前記電子デバイスの不揮発性メモリに記憶させ、
診断プッシュイベント又は診断プルイベントのうち１又は複数に従って、前記不揮発性メモリから前記１又は複数の値を読み出させる、
請求項１８に記載のコンピュータプログラム。
【請求項２０】
前記コンピュータプログラムは、実行されたとき、前記電子デバイスに、
前記物理的屈曲量が前記閾値を超過した場合は、前記電子デバイスの状態データを前記電子デバイスの不揮発性メモリに記憶させる、
請求項１８に記載のコンピュータプログラム。
【請求項２１】
前記閾値は、
絶対閾値又は変化率の閾値のうち１又は複数である、
請求項１８から２０のうちのいずれか１項に記載のコンピュータプログラム。
【請求項２２】
前記電子デバイスは、複数の屈曲検知ゾーンを備え、
前記コンピュータプログラムは、実行されたとき、前記電子デバイスに、
前記物理的屈曲量を前記複数の屈曲検知ゾーンのうちの１つと関連付けさせる、
請求項１８から２０のうちのいずれか１項に記載のコンピュータプログラム。
【請求項２３】
前記コンピュータプログラムは、実行されたとき、前記電子デバイスに、
前記物理的屈曲量を判定するべく、前記電子デバイスにおいて送信された電気信号のパルス長変動、前記電子デバイスの共振周波数、又は前記電子デバイスにおいて送信された光信号の飛行時間のうち１又は複数を測定させる、
請求項１８から２０のうちのいずれか１項に記載のコンピュータプログラム。
【請求項２４】
前記コンピュータプログラムは、実行されたとき、前記電子デバイスに、
前記警告を生成するべく、オーディオ出力、視覚出力、振動性出力、又は遠隔メッセージのうち１又は複数をトリガさせる、
請求項１８から２０のうちのいずれか１項に記載のコンピュータプログラム。
【請求項２５】
請求項１４から１７のうちのいずれか１項に記載の方法を実行するための手段を備える、
屈曲損傷保護装置。
【請求項２６】
請求項１８から２４のうちのいずれか１項に記載のコンピュータプログラムを記憶する、
少なくとも１つの不揮発性のコンピュータ可読記憶媒体。
【国際調査報告】
2018509590.tif 000009
2018509590.tif 000010